【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
互いに主走査方向に間隔を有して配置された３つ以上の発光部を持つ光源手段と、前記光源手段から出射された３つ以上の光ビームの各光ビームの状態を他の状態に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、を有する光走査装置において、
前記変換光学素子の焦点距離をｆｃｏｌ（ｍｍ）、前記受光手段の主走査方向の幅を２・ａ２（ｍｍ）、前記変換光学素子から前記受光手段までの光軸方向の距離をＸｓ（ｍｍ）、前記変換光学素子の光軸から主走査方向に最も離間した発光部と前記変換光学素子の光軸との主走査方向の間隔をＷ（ｍｍ）、
とするとき、
｜Ｗ｛１−（Ｘｓ／ｆｃｏｌ）｝｜（ｍｍ）≦０．２０９ａ２（ｍｍ）＋６．５５４（ｍｍ）
且つ、
０．３≦（Ｘｓ／ｆｃｏｌ）≦１５（但し、（Ｘｓ／ｆｃｏｌ）＝１．０を除く）
且つ、
１５（ｍｍ）≦ｆｃｏｌ≦６０（ｍｍ）
なる条件式を満足することを特徴とする光走査装置。
【請求項２】
前記発光部から出射される光ビームの主走査方向における光強度が最大強度の１／２となる角度の全角をＦＦＰｍ（度）とするとき、
【数１】
2009037035.tif 000001
なる条件式を満足することを特徴とする請求項１に記載の光走査装置。
【請求項３】
互いに主走査方向に間隔を有して配置された３つ以上の発光部を持つ光源手段と、前記光源手段から出射された３つ以上の光ビームの各光ビームの状態を他の状態に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、を有する光走査装置において、
前記変換光学素子の焦点距離をｆｃｏｌ（ｍｍ）、前記変換光学素子から前記受光手段までの光軸方向の距離をＸｓ（ｍｍ）、とするとき、
Ｘｓ＝ｆｃｏｌ
なる条件式を満足することを特徴とする光走査装置。
【請求項４】
互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、
前記変換光学素子の光出射側であって、前記画像形成用光束が通過しない領域に配置され、前記変換光学素子からの光ビームを前記受光手段側へ反射させる反射部材と、を有する光走査装置において、
前記変換光学素子の焦点距離をｆｃｏｌ（ｍｍ）、前記受光手段の主走査方向の幅を２・ａ２（ｍｍ）、前記変換光学素子から前記反射部材までの光軸方向の距離と、前記反射部材から前記受光手段までの光軸方向の距離の合計をＸｈ（ｍｍ）、前記変換光学素子の光軸から主走査方向に最も離間した発光部と前記変換光学素子の光軸との主走査方向の間隔をＷ（ｍｍ）、とするとき、
｜Ｗ｛１−（Ｘｈ／ｆｃｏｌ）｝｜（ｍｍ）≦０．２０９ａ２（ｍｍ）＋６．５５４（ｍｍ）
且つ、
０．３≦（Ｘｈ／ｆｃｏｌ）≦１５（但し、（Ｘｈ／ｆｃｏｌ）＝１．０を除く）
且つ、
１５（ｍｍ）≦ｆｃｏｌ≦６０（ｍｍ）
なる条件式を満足することを特徴とする光走査装置。
【請求項５】
前記発光部から出射される光ビームの主走査方向における光強度が最大強度の１／２となる角度の全角をＦＦＰｍ（度）とするとき、
【数２】
2009037035.tif 000002
なる条件式を満足することを特徴とする請求項４に記載の光走査装置。
【請求項６】
互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、を有する光走査装置において、
前記変換光学素子の焦点距離をｆｃｏｌ（ｍｍ）、前記変換光学素子から前記反射部材までの光軸方向の距離と、前記反射部材から前記受光手段までの光軸方向の距離の合計をＸｈ（ｍｍ）、とするとき、
Ｘｈ＝ｆｃｏｌ
なる条件式を満足することを特徴とする光走査装置。
【請求項７】
互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、前記反射部材と前記受光手段との間の光路中であって、主走査方向と副走査方向の少なくとも一方向に屈折力を有する光学素子と、を有する光走査装置において、
前記変換光学素子の焦点距離をｆｃｏｌ（ｍｍ）、前記光学素子の主走査方向の有効径を２・Ｌ２（ｍｍ）、前記変換光学素子から前記反射部材までの光軸方向の距離と前記反射部材から前記光学素子までの光軸方向の距離の合計をＸＬ（ｍｍ）、前記変換光学素子の光軸から主走査方向に最も離間した発光部と前記変換光学素子の光軸との主走査方向の間隔をＷ（ｍｍ）、とするとき、
｜Ｗ｛１−（ＸＬ／ｆｃｏｌ）｝｜（ｍｍ）≦０．２０９Ｌ２（ｍｍ）＋６．５５４（ｍｍ）
且つ、
０．３≦（ＸＬ／ｆｃｏｌ）≦１５（但し、（ＸＬ／ｆｃｏｌ）＝１．０を除く）且つ、
１５（ｍｍ）≦ｆｃｏｌ≦６０（ｍｍ）
なる条件式を満足することを特徴とする光走査装置。
【請求項８】
前記発光部から出射される光ビームの主走査方向における光強度が最大強度の１／２となる角度の全角をＦＦＰｍ（度）とするとき、
【数３】
2009037035.tif 000003
なる条件式を満足することを特徴とする請求項７に記載の光走査装置。
【請求項９】
互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、前記反射部材と前記受光手段との間の光路中であって、主走査方向と副走査方向の少なくとも一方向に屈折力を有する光学素子と、を有する光走査装置において、
前記変換光学素子の焦点距離をｆｃｏｌ（ｍｍ）、前記変換光学素子から前記反射部材までの光軸方向の距離と前記反射部材から前記光学素子までの光軸方向の距離の合計をＸＬ（ｍｍ）、とするとき、
ＸＬ＝ｆｃｏｌ
なる条件式を満足することを特徴とする光走査装置。
【請求項１０】
請求項１乃至９のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１１】
請求項１乃至９のいずれか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１６
【補正方法】変更
【補正の内容】
【００１６】
請求項１の発明の光走査装置は、互いに主走査方向に間隔を有して配置された３つ以上の発光部を持つ光源手段と、前記光源手段から出射された３つ以上の光ビームの各光ビームの状態を他の状態に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、を有する光走査装置において、
前記変換光学素子の焦点距離をｆｃｏｌ（ｍｍ）、前記受光手段の主走査方向の幅を２・ａ２（ｍｍ）、前記変換光学素子から前記受光手段までの光軸方向の距離をＸｓ（ｍｍ）、前記変換光学素子の光軸から主走査方向に最も離間した発光部と前記変換光学素子の光軸との主走査方向の間隔をＷ（ｍｍ）、
とするとき、
｜Ｗ｛１−（Ｘｓ／ｆｃｏｌ）｝｜（ｍｍ）≦０．２０９ａ２（ｍｍ）＋６．５５４（ｍｍ）
且つ、
０．３≦（Ｘｓ／ｆｃｏｌ）≦１５（但し、（Ｘｓ／ｆｃｏｌ）＝１．０を除く）
且つ、
１５（ｍｍ）≦ｆｃｏｌ≦６０（ｍｍ）
なる条件式を満足することを特徴としている。
【手続補正３】
【補正対象書類名】明細書
【補正対象項目名】００１７
【補正方法】変更
【補正の内容】
【００１７】
請求項２の発明は請求項１の発明において、前記発光部から出射される光ビームの主走査方向における光強度が最大強度の１／２となる角度の全角をＦＦＰｍ（度）とするとき、
【数１】
2009037035.tif 000004
なる条件式を満足することを特徴としている。
【手続補正４】
【補正対象書類名】明細書
【補正対象項目名】００１８
【補正方法】変更
【補正の内容】
【００１８】
請求項３の発明の光走査装置は、互いに主走査方向に間隔を有して配置された３つ以上の発光部を持つ光源手段と、前記光源手段から出射された３つ以上の光ビームの各光ビームの状態を他の状態に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、を有する光走査装置において、
前記変換光学素子の焦点距離をｆｃｏｌ（ｍｍ）、前記変換光学素子から前記受光手段までの光軸方向の距離をＸｓ（ｍｍ）、とするとき、
Ｘｓ＝ｆｃｏｌ
なる条件式を満足することを特徴としている。
【手続補正５】
【補正対象書類名】明細書
【補正対象項目名】００１９
【補正方法】変更
【補正の内容】
【００１９】
請求項４の発明の光走査装置は、互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、
前記変換光学素子の光出射側であって、前記画像形成用光束が通過しない領域に配置され、前記変換光学素子からの光ビームを前記受光手段側へ反射させる反射部材と、を有する光走査装置において、
前記変換光学素子の焦点距離をｆｃｏｌ（ｍｍ）、前記受光手段の主走査方向の幅を２・ａ２（ｍｍ）、前記変換光学素子から前記反射部材までの光軸方向の距離と、前記反射部材から前記受光手段までの光軸方向の距離の合計をＸｈ（ｍｍ）、前記変換光学素子の光軸から主走査方向に最も離間した発光部と前記変換光学素子の光軸との主走査方向の間隔をＷ（ｍｍ）、とするとき、
｜Ｗ｛１−（Ｘｈ／ｆｃｏｌ）｝｜（ｍｍ）≦０．２０９ａ２（ｍｍ）＋６．５５４（ｍｍ）
且つ、
０．３≦（Ｘｈ／ｆｃｏｌ）≦１５（但し、（Ｘｈ／ｆｃｏｌ）＝１．０を除く）
且つ、
１５（ｍｍ）≦ｆｃｏｌ≦６０（ｍｍ）
なる条件式を満足することを特徴としている。
【手続補正６】
【補正対象書類名】明細書
【補正対象項目名】００２０
【補正方法】変更
【補正の内容】
【００２０】
請求項５の発明は請求項４の発明において、前記発光部から出射される光ビームの主走査方向における光強度が最大強度の１／２となる角度の全角をＦＦＰｍ（度）とするとき、
【数２】
2009037035.tif 000005
なる条件式を満足することを特徴としている。
【手続補正７】
【補正対象書類名】明細書
【補正対象項目名】００２１
【補正方法】変更
【補正の内容】
【００２１】
請求項６の発明の光走査装置は、互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、を有する光走査装置において、
前記変換光学素子の焦点距離をｆｃｏｌ（ｍｍ）、前記変換光学素子から前記反射部材までの光軸方向の距離と、前記反射部材から前記受光手段までの光軸方向の距離の合計をＸｈ（ｍｍ）、とするとき、
Ｘｈ＝ｆｃｏｌ
なる条件式を満足することを特徴としている。
【手続補正８】
【補正対象書類名】明細書
【補正対象項目名】００２２
【補正方法】変更
【補正の内容】
【００２２】
請求項７の発明の光走査装置は、互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、前記反射部材と前記受光手段との間の光路中であって、主走査方向と副走査方向の少なくとも一方向に屈折力を有する光学素子と、を有する光走査装置において、
前記変換光学素子の焦点距離をｆｃｏｌ（ｍｍ）、前記光学素子の主走査方向の有効径を２・Ｌ２（ｍｍ）、前記変換光学素子から前記反射部材までの光軸方向の距離と前記反射部材から前記光学素子までの光軸方向の距離の合計をＸＬ（ｍｍ）、前記変換光学素子の光軸から主走査方向に最も離間した発光部と前記変換光学素子の光軸との主走査方向の間隔をＷ（ｍｍ）、とするとき、
｜Ｗ｛１−（ＸＬ／ｆｃｏｌ）｝｜（ｍｍ）≦０．２０９Ｌ２（ｍｍ）＋６．５５４（ｍｍ）
且つ、
０．３≦（ＸＬ／ｆｃｏｌ）≦１５（但し、（ＸＬ／ｆｃｏｌ）＝１．０を除く）且つ、
１５（ｍｍ）≦ｆｃｏｌ≦６０（ｍｍ）
なる条件式を満足することを特徴としている。
【手続補正９】
【補正対象書類名】明細書
【補正対象項目名】００２３
【補正方法】変更
【補正の内容】
【００２３】
請求項８の発明は請求項７の発明において、前記発光部から出射される光ビームの主走査方向における光強度が最大強度の１／２となる角度の全角をＦＦＰｍ（度）とするとき、
【数３】
2009037035.tif 000006
なる条件式を満足することを特徴としている。
【手続補正１０】
【補正対象書類名】明細書
【補正対象項目名】００２４
【補正方法】変更
【補正の内容】
【００２４】
請求項９の発明の光走査装置は、互いに主走査方向に間隔を有して配置された３つ以上の発光部を持つ光源手段と、前記光源手段から出射された３つ以上の光ビームの各光ビームを平行光束に変換する変換光学素子と前記３つ以上の光ビームの各光ビームの主走査方向の光ビーム幅を制限する開口絞りを有する入射光学系と、前記入射光学系から出射された前記３つ以上の光ビームを偏向走査する偏向手段と、前記偏向手段で偏向走査された前記３つ以上の光ビームを被走査面に結像させる結像光学系と、前記開口絞りを通過して前記被走査面の有効画像領域に入射する画像形成用光束が通過しない領域に配置され、前記有効画像領域に入射する画像形成用光束の光量を調整するために光ビームを受光するための受光手段と、前記変換光学素子の光出射側であって、前記画像形成用光束が通過しない領域に配置され、前記変換光学素子からの光ビームを前記受光手段側へ反射させる反射部材と、前記反射部材と前記受光手段との間の光路中であって、主走査方向と副走査方向の少なくとも一方向に屈折力を有する光学素子と、を有する光走査装置において、
前記変換光学素子の焦点距離をｆｃｏｌ（ｍｍ）、前記変換光学素子から前記反射部材までの光軸方向の距離と前記反射部材から前記光学素子までの光軸方向の距離の合計をＸＬ（ｍｍ）、とするとき、
ＸＬ＝ｆｃｏｌ
なる条件式を満足することを特徴としている。
【手続補正１１】
【補正対象書類名】明細書
【補正対象項目名】００２５
【補正方法】変更
【補正の内容】
【００２５】
請求項１０の発明の画像形成装置は、請求項１乃至９のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正１２】
【補正対象書類名】明細書
【補正対象項目名】００２６
【補正方法】変更
【補正の内容】
【００２６】
請求項１１の発明の画像形成装置は、請求項１乃至９のいずれか１項に記載の光走査装置と、外部機器から入力したコードデータを画像信号に変換して前記光走査装置に入力せしめるプリンタコントローラとを有していることを特徴としている。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】